(57)【特許請求の範囲】
【請求項１】
旧かごの上に新かごのかご枠を組み立て、前記旧かごと前記新かごのかご枠とを連結し、
旧メインロープおよび旧巻上機を用いて前記旧かごを引き上げることで、互いに連結された前記旧かごおよび前記新かごのかご枠を昇降路上部に移動させ、
固定手段を用いて、前記旧かごおよび前記新かごのかご枠を昇降路上部で保持し、
前記旧メインロープを外し、前記旧メインロープおよび前記旧巻上機を新メインロープおよび新巻上機に交換し、前記新メインロープで前記新かごのかご枠を懸吊し、
前記新メインロープおよび前記新巻上機を用いて前記新かごのかご枠を下ろすことで、互いに連結された前記旧かごおよび前記新かごのかご枠を昇降路下部に移動させ、
前記旧かごを解体し、
前記新かごのかご室を組み立てる
ことを特徴とするエレベータのリニューアル方法。
【請求項２】
請求項１の記載において、
前記旧かごの上梁と前記新かごのかご枠の下梁との間で、互いを連結する連結器具を設置することを特徴とするエレベータのリニューアル方法。
【請求項３】
請求項２の記載において、
前記下梁は、前記連結器具が固定されるプレートが取り付けられた状態で昇降路内に搬入されることを特徴とするエレベータのリニューアル方法。
【請求項４】
請求項１の記載において、
前記旧かごは、前記新かごのかご枠と共に昇降路内を移動させられる前に、当該旧かごのかご枠を残すとともに、かご室が解体されることを特徴とするエレベータのリニューアル方法。
【請求項５】
請求項４の記載において、
前記旧かごは、前記かご枠に加えて、かご床を残した状態で、前記新かごのかご枠と共に昇降路内を移動させられ、前記かご床が作業足場として使用可能になることを特徴とするエレベータのリニューアル方法。
【請求項６】
請求項１の記載において、
前記新かごは、当該新かごのかご床を前記かご枠に立てかけ固定した状態で昇降路上部まで移動させられるとともに、前記旧メインロープを外した後で前記かご床が設置され、前記かご床が作業足場として使用可能になることを特徴とするエレベータのリニューアル方法。
【請求項７】
請求項１の記載において、
前記旧かごおよび前記新かごのかご枠を昇降路上部で保持するとき、前記固定手段は、ガイドレールから懸吊されることを特徴とするエレベータのリニューアル方法。
【請求項８】
請求項１の記載において、
前記旧かごおよび前記新かごのかご枠を昇降路上部で保持するとき、前記固定手段は、前記旧かごおよび前記新かごのかご枠のうち、前記旧かごを懸吊することを特徴とするエレベータのリニューアル方法。
【発明の詳細な説明】
【技術分野】
【０００１】
本発明は、エレベータのリニューアル方法に関する。
【背景技術】
【０００２】
エレベータのリニューアル工事において、かごを交換する作業では、昇降路頂部もしくは機械室に揚重機のつり元を設置し、そのつり元に揚重機を架設する。そして、旧メインロープを外すとともに、揚重機を用いて旧かごを最下階まで降ろし、旧かごを解体する。その後、新かごを組み立て、揚重機を用いて新かごを最上階まで引き上げ、新メインロープを連結する作業が行われる。
【０００３】
特許文献１には、昇降路の天井部に揚重機を設置し、エレベータ用品を所定の位置まで揚重する技術が記載されている。
【先行技術文献】
【特許文献】
【０００４】
【特許文献１】特開２００３−６３７７７号公報
【発明の概要】
【発明が解決しようとする課題】
【０００５】
ところで、揚重機のつり元の強度計算や材料の選定作業、および揚重機の設置作業は、大きな労力を要する。そのため、リニューアル工事の工期が長くなる一因になっている。このため短納期を望まれるお客様にとってはサービス対応の不可能な期間が長くなり、利便性が低下していた。
【０００６】
本発明の目的は、工期の短縮が可能なエレベータのリニューアル方法を提供することにある。
【課題を解決するための手段】
【０００７】
本発明の一つの形態に係るエレベータのリニューアル方法では、旧かごの上に新かごのかご枠を組み立て、前記旧かごと前記新かごのかご枠とを連結し、旧メインロープおよび旧巻上機を用いて前記旧かごを引き上げることで、互いに連結された前記旧かごおよび前記新かごのかご枠を昇降路上部に移動させ、固定手段を用いて、前記旧かごおよび前記新かごのかご枠を昇降路上部で保持し、前記旧メインロープを外し、前記旧メインロープおよび前記旧巻上機を新メインロープおよび新巻上機に交換し、前記新メインロープで前記新かごのかご枠を懸吊し、前記新メインロープおよび前記新巻上機を用いて前記新かごのかご枠を下ろすことで、互いに連結された前記旧かごおよび前記新かごのかご枠を昇降路下部に移動させ、前記旧かごを解体し、前記新かごのかご室を組み立てる。
【発明の効果】
【０００８】
本発明によれば、リニューアル工事の工期の短縮が可能になる。
【図面の簡単な説明】
【０００９】
【図１】本発明が適用可能なエレベータの一例を示す側面図。
【図２】本発明の一つの実施形態に係る旧かごを示す正面図。
【図３】本発明の一つの実施形態に係る旧かごに連結器具を取り付ける工程を示す正面図。
【図４】本発明の一つの実施形態に係る旧かごの上に新かごのかご枠を組み立てる工程を示す正面図。
【図５】本発明の一つの実施形態に係る旧かごおよび新かごのかご枠を旧巻上機で昇降路上部へ移動させる工程を示す正面図。
【図６】本発明の一つの実施形態に係る旧かごおよび新かごのかご枠を昇降路上部で保持する工程を示す正面図。
【図７】本発明の一つの実施形態に係る旧かごおよび新かごのかご枠を新巻上機で昇降路下部へ移動させる工程を示す正面図。
【図８】本発明の一つの実施形態に係る旧かごを解体する工程を示す正面図。
【図９】本発明の一つの実施形態に係る新かごのかご室を組み立てる工程を示す正面図。
【図１０】本発明の一つの実施形態に係る旧かごおよび新かごの正面図。
【図１１】図１０中に示された連結器具を拡大して示す正面図。
【図１２】図１１中に示された矢印Ａから見た旧かごの平面図。
【図１３】図１１中に示された矢印Ｂから見た新かごの下面図。
【図１４】図６中に示されたプレートを示す側面図。
【図１５】本発明の一つの実施形態に係るリニューアル工程を示すフローチャート。
【発明を実施するための形態】
【００１０】
以下、本発明の実施の形態について、図１ないし図１５を参照して説明する。  
図１は、本発明のリニューアルが適用されるエレベータ１の一例を示す。エレベータ１は、昇降路２、機械室３、乗りかご４、釣合いおもり５、巻上機６、およびメインロープ７を備えている。エレベータ１は、例えば２：１のローピング構造を有する。
【００１１】
乗りかご４は、かご枠１１、かご床１２、およびかご室１３を有している。図２に示すように、かご枠１１は、上梁１５、下梁１６、および一対の立柱１７ａ，１７ｂ（立梁）を有する。上梁１５は、かご室１３の上方を水平に延びている。下梁１６は、かご室１３の下方を水平に延びている。一対の立柱１７ａ，１７ｂは、かご室１３の両側に分かれ、鉛直方向に延びている。立柱１７ａ，１７ｂは、上梁１５の端部と下梁１６の端部とを繋いでいる。これによりかご枠１１は、枠状に形成されている。図１に示すように、上梁１５には、メインロープ７が巻き掛けられるかご上シーブ１８が連結されている。
【００１２】
図１および図２に示すように、かご床１２およびかご室１３は、かご枠１１内に設けられている。かご床１２は、かご室１３が載せられる比較的大きな面積を有するとともに、下梁１６の上に設置されている。かご室１３は、かご床１２の上に設置されている。かご室１３は、側板や奥板、天井装置などを有して箱状に形成され、乗客が乗り込む空間を形成するとともに、各種電気機器などを有している。
【００１３】
図２に示すように、昇降路２には、乗りかご４を案内する一対のガイドレール２１ａ，２１ｂが鉛直方向に延びている。図１に示すように、釣合いおもり５は、釣合いおもりシーブ２２を有する。本実施形態では、既設の釣合いおもり５が、例えばリニューアル後もそのまま使用される。なお釣合いおもり５は、リニューアル時に新設のものに交換されてもよい。
【００１４】
機械室３は、例えば昇降路２の上方に設けられている。機械室３には、巻上機６が設置されている。巻上機６には、メインロープ７が巻き掛けられている。メインロープ７は、巻上機６から乗りかご４に向いて延びるとともに、かご上シーブ１８に下側から巻き掛けられている。メインロープ７の一端部７ａ（第１の端部）は、昇降路２の天井に設けられた第１のヒッチ２３に固定されている。
【００１５】
さらにメインロープ７は、巻上機６から釣合いおもり５に向いて延びるとともに、釣合いおもりシーブ２２に下側から巻き掛けられている。メインロープ７の他端部７ｂ（第２の端部）は、昇降路２の天井に設けられた第２のヒッチ２４に固定されている。これにより、巻上機６が駆動されると、乗りかご４および釣合いおもり５は、昇降路２内を互いに反対方向に昇降動作する。なお、本発明が適用可能なエレベータ１は、上記に限定されるものではなく、例えば１：１のローピング構造を有し、メインロープ７がかご枠１１に直接に連結されたタイプを含む種々のエレベータに広く適用可能である。
【００１６】
次に、本実施形態に係るエレベータのリニューアル方法について説明する。なお、本明細書では上述のエレベータを既設のエレベータとして取り上げ、乗りかご４を旧かご４、巻上機６を旧巻上機６、メインロープ７を旧メインロープ７と読み替えて説明する。
【００１７】
図２は、解体前の旧かご４を示す。旧かご４は、前述のように、かご枠１１、かご床１２、かご室１３を有している。
【００１８】
リニューアル工事におけるかごの交換作業では、まず、図３に示すように、旧かご４を昇降路下部２ａ（例えば最下階）に下ろし、旧かご４の一部を解体する（図１５中、ステップＳ１１）。一例としては、かご枠１１およびかご床１２を残すとともに、かご室１３を解体して撤去する。なお、旧メインロープ７は、かご上シーブ１８を介して旧かご４に連結されたままである。
【００１９】
さらに、旧かご４の上梁１５の上に連結器具２７を設置する。連結器具２７は、例えば２つ設置される。なお連結器具２７は、必要な強度を備えていれば１つでもよく、または３つ以上でもよい。なお連結器具２７の詳細は後述する。
【００２０】
次に、図４に示すように、旧かご４の上に新かご３０のかご枠３１を組み立てる（図１５中、ステップＳ１２）。一例としては、連結器具２７の上に新かご３０を組み立てる。
【００２１】
ここで、図９を参照して、新かご３０の全体を先に説明する。図９に示すように、新かご３０は、かご枠３１、かご床３２、かご室３３を有する。かご枠３１は、旧かご４のかご枠１１と同様に、上梁３５、下梁３６、一対の立柱３７ａ，３７ｂを有する。すなわち、上梁３５は、かご室３３の上方を水平に延びている。下梁３６は、かご室３３の下方を水平に延びている。一対の立柱３７ａ，３７ｂは、かご室３３の両側に分かれ、鉛直方向に延びている。立柱３７ａ，３７ｂは、上梁３５の端部と下梁３６の端部とを繋いでいる。これによりかご枠３１は、枠状に形成されている。上梁３５には、新メインロープ３８が巻き掛けられるかご上シーブ３９が連結されている。
【００２２】
かご床３２およびかご室３３は、かご枠３１内に設けられている。かご床３２は、かご室３３が載せられる比較的大きな面積を有するとともに、下梁３６の上に設置されている。かご室３３は、かご床３２の上に設置されている。かご室３３は、側板や奥板、天井装置などを有して箱状に形成され、乗客が乗り込む空間を形成するとともに、各種電気機器などを有している。
【００２３】
図４に示すように、かごの交換作業では、連結器具２７の上に、まずかご枠３１を組み立て、一方でかご室３３は組み立てられない。一例としては、連結器具２７の上に新かご３０のかご枠３１の下梁３６を設置する。かご床３２は、例えば立柱３７ａに立てかけ固定された状態で、かご枠３１内に搭載される。かご床３２が立てられた状態で搭載されることで、旧メインロープ７は、新かご３０に邪魔されることなく、旧かご４の上方に延びることができる。
【００２４】
そして、連結器具２７を介して旧かご４のかご枠１１と、新かご３０のかご枠３１とを互いに連結する。一例としては、連結器具２７により、旧かご４の上梁１５と、新かご３０の下梁３６とを連結する。
【００２５】
次に、図５に示すように、旧巻上機６および旧メインロープ７を用いて、互いに連結された旧かご４および新かご３０のかご枠３１を昇降路上部２ｂ（例えば最上階）まで移動させる（図１５中、ステップＳ１３）。このとき、旧メインロープ７は、旧かご４を懸吊している。つまり、旧巻上機６および旧メインロープ７により、旧かご４を引き上げることで、旧かご４および新かご３０のかご枠３１を昇降路上部２ｂまで移動させる。
【００２６】
次に、図６に示すように、メインロープ７，３８とは異なる別のロープ４１（例えば玉掛けロープ）を用いて、旧かご４および新かご３０のかご枠３１を昇降路上部２ｂで休ませる。一例としては、ガイドレール２１ａ，２１ｂに懸吊されたロープ４１により、旧かご４および新かご３０のかご枠３１を昇降路２内に吊るした状態で保持する。ロープ４１は、本発明でいう「固定手段」の一例である。なお、この懸吊構造については後述する。
【００２７】
この状態で、旧かご４のかご枠１１および新かご３０のかご枠３１に作業台を設置する（図１５中、ステップＳ１４）。また、旧かご４のかご床１２が作業足場となる。
【００２８】
次に、旧かご４および新かご３０のかご枠３１を昇降路上部２ｂで休ませた状態で、旧メインロープ７を取り外す（ステップＳ１５）。次に、ヒッチビームの撤去や、機械室床面の旧ロープ穴を塞ぐ作業、または仮の仕切り壁（床状のもの）を設置する作業を行う。このとき、作業者は、必要に応じ安全を確保できたならば、昇降路上部２ｂで保持された旧かご４や新かご３０のかご枠３１の上に乗って行う。また、新かご３０のかご床３２を立てかけた状態から、下梁３６の上に載置された正規の姿勢に設置することで、このかご床３２が作業足場となる。
【００２９】
次に、旧巻上機６および旧機械室機器（例えば制御盤や各種配線）を解体する（ステップＳ１６）。そして、旧巻上機６および旧機械室機器を、新巻上機４３および新機械室機器に入れ替える作業を行う。次に、新巻上機４３と新機械室機器を組み立てる（ステップＳ１７）。
【００３０】
さらに、旧メインロープ７と交換した新メインロープ３８で新かご３０のかご枠３１を懸吊する（ステップＳ１８）。一例としては、新メインロープ３８を新かご３０のかご上シーブ３９に巻き掛ける。
【００３１】
次に、図７に示すように、ロープ４１による懸吊構造を解き、新巻上機４３および新メインロープ３８を用いて、互いに連結した旧かご４および新かご３０を昇降路下部２ａ（例えば最下階）まで下ろす（図１５中、ステップＳ１９）。このとき、新かご３０のかご枠３１を懸吊した新メインロープ３８により、新かご３０のかご枠３１を下ろすことで、旧かご４および新かご３０のかご枠３１を昇降路下部２ａに移動させる。
【００３２】
次に、図８に示すように、旧かご４のかご枠１１、かご床１２、および連結器具２７を解体し、昇降路２から撤去する（図１５中、ステップＳ２０）。次に、図９に示すように、新かご３０を昇降路下部２ａ（例えば最下階）まで降ろし、新かご３０のかご室３３を組み立てる（ステップＳ２１）。これにより、かごの交換作業が完了する。
【００３３】
図１０および図１１は、連結器具２７を詳しく示す。連結器具２７は、本体部５０と、第１および第２のプレート５１，５２とを有する。本体部５０は、例えば立設された鋼材で形成されている。本体部５０は、鉛直方向に、旧かご４のかご上シーブ１８よりも大きく延びている。本体部５０の一例は、例えばＨ鋼または亜鉛などでメッキされた鋼管で形成されるが、これら以外のもので形成されてもよい。第１のプレート５１は、本体部５０の下端部に例えば溶接で固定されている。第２のプレート５２は、本体部５０の上端部に例えば溶接固定されている。なお第１および第２のプレート５１，５２は、本体部５０に対して例えばＬアングルでボルト固定されてもよい。
【００３４】
図１２に示すように、第１のプレート５１は、旧かご４の上梁１５に重なる。第１のプレート５１は、旧かご４の上梁１５に例えばボルト５４で固定される。図１１に示すように、新かご３０の下梁３６には、固定プレート５５が設けられている。固定プレート５５は、例えばリニューアル現場での作業削減のため、工場で下梁３６に予め取り付けられている。下梁３６は、固定プレート５５が取り付けられた状態で昇降路２内に搬入される。
【００３５】
固定プレート５５は、下梁３６よりも大きく形成されている。連結器具２７の第２のプレート５２は、例えば固定プレート５５と略同じ外形を有し、下梁３６よりも大きく形成されている。図１３に示すように、下梁３６の固定プレート５５および連結器具２７の第２のプレート５２は、下梁３６と重ならない位置（例えば下梁３６の外側となる位置）で、ボルト５６で互いに固定されている。これにより、新かご３０の下梁３６に穴を開けずに、下梁５６と連結器具２７とを固定することができる。
【００３６】
次に、旧かご４および新かご３０を昇降路上部２ｂで休ませる懸吊構造について設明する。  
図６に示すように、懸吊構造６１は、例えばガイドレール２１ａ，２１ｂに取り付けられたプレート６２を有する。図１４に示すように、プレート６２は、例えば既設のガイドレール２１ａ，２１ｂに丸穴を開け、ボルト６３により固定される。プレート６２には、例えばシャックル６４が取り付けられる丸穴６５が設けられている。
【００３７】
図６に示すように、プレート６２に取り付けられたシャックル６４には、例えば手動のチェーンブロック６６が設置される。このチェーンブロック６６から延びたロープ４１が旧かご４を懸吊している。
【００３８】
このような構成のエレベータのリニューアル方法によれば、リニューアル工事の工期の短縮が可能になる。すなわち、昇降路頂部に揚重機のつり元を設置し、そのつり元に揚重機を架設し、旧メインロープを外すとともに、揚重機を用いて旧かごを最下階まで降ろして旧かごを解体し、その後新かごを組み立て、揚重機を用いて新かごを最上階まで上げ、新メインロープを連結する方法では、労力と時間が多大になる。つまり、揚重機の設置作業が必要になるとともに、つり元が個々のリニューアル案件ごと現場対応になるので、その都度の強度計算や材料の選定作業、設置作業が必要になる。
【００３９】
一方で、本実施形態に係るリニューアル方法によれば、新旧の巻上機６，４３（いわゆる本設巻上機）を用いて旧かご４および新かご３０の揚重作業を行う。つまり、旧かご４および旧巻上機６を利用して新かご３０を上昇させ、また、新かご３０および新巻上機４３を利用して旧かご４を下ろす。このため、揚重機や揚重機のつり元が不用になり、揚重機の設置作業や、揚重機のつり元の強度計算や材料の選定、設置作業を省略することができる。これにより、リニューアル工事の工期の短縮が可能になる。
【００４０】
また揚重機を用いる方法では、ヒッチビームの撤去作業を行うとき、かごが最下階に下ろされているため、かごの上に乗って作業を行うことができない。また、万が一に落下物等が発生した場合に稼動号機や昇降路危機に当たり、稼動号機のサービス停止や低下に繋がる場合もあり、好ましくなかった。
【００４１】
一方で、本実施形態に係るリニューアル方法では、ヒッチビームの撤去作業を行うとき、旧かご４および新かご３０のかご枠３１が昇降路上部２ｂに位置するため、これらの上に乗って作業を行うことができ、作業性が高い。さらに、旧かご４および新かご３０のかご枠３１が昇降路上部２ｂに位置するため、万が一に落下物等が発生した場合でも稼動号機が破損するおそれが非常に小さい。
【００４２】
旧かご４の上梁１５に連結器具２７を設置し、新かご３０のかご枠３１の下梁３６を連結器具２７の上に設置すると、互いに強度が高い上梁１５と下梁３６により旧かご４と新かご３０が連結されるので、連結部の強度が高く、安全性もより高くなる。
【００４３】
連結器具２７が固定される固定プレート５５が予め取り付けられた状態で下梁３６が昇降路２内に搬入されると、リニューアル現場での作業が少なくなるので、工期をより短縮することができる。
【００４４】
旧かご４が、かご枠１１を残すとともに、かご室１３が撤去された状態で、新かご３０のかご枠３１と共に昇降路２内を移動させると、かご室３３の分だけ旧かご４が軽くなるので、旧巻上機６への負担が少なくなり、新かご３０のかご枠３１を追加しても旧巻上機６で良好に巻き上げることができる。
【００４５】
旧かご４が、かご枠１１に加えてかご床１２を残した状態で、新かご３０のかご枠３１と共に昇降路２内を移動すると、かご床１２が作業足場として使用可能になるため、リニューアルの作業をより効率的に進めることができる。これにより、リニューアル工事の工期をさらに短縮することができる。
【００４６】
新かご３０が、かご床３２をかご枠３１に立てかけ固定した状態で昇降路上部２ｂまで移動するとともに、旧メインロープ７を外した後でかご床３２が設置されると、新かご３０のかご床３２が作業足場として使用可能になるため、リニューアルの作業をより効率的に進めることができる。これにより、リニューアル工事の工期をさらに短縮することができる。
【００４７】
旧かご４および新かご３０のかご枠３１を昇降路上部２ｂで保持するとき、ロープ４１がガイドレール２１ａ，２１ｂから懸吊されると、このロープ４１の懸吊用のつり元を昇降路２に設ける必要が無くなる。そのため、リニューアル工事の工期をさらに短縮することができる。
【００４８】
旧かご４および新かご３０のかご枠３１を昇降路上部２ｂで保持するとき、ロープ４１が旧かご４と新かご３０のかご枠３１のうち旧かご４を懸吊すると、上下に旧かご４と新かご３０とが並ぶ状態において、下方のかごを支持することになるので、万が一に連結器具２７に不具合が生じたときでも、２つのかごを確実に支持することができる。また、上下に旧かご４と新かご３０とが並ぶ状態において、下方のかごを支持した方が振れが生じにくくなり、旧かご４および新かご３０のかご枠３１の保持が安定するので、ガイドレール２１ａ，２１ｂへの負担が少なくなるなど好ましい。
【００４９】
以上、本発明の一つの実施形態に係るエレベータのリニューアル方法について説明したが、本発明の実施形態はこれらに限定されるものではない。本実施形態の構成は、適宜変更して実施することができる。
【符号の説明】
【００５０】
１…エレベータ、２ａ…昇降路下部、２ｂ…昇降路上部、４…旧かご、６…旧巻上機、７…旧メインロープ、１１…かご枠、１２…かご床、１３…かご室、１５…上梁、２１ａ，２１ｂ…ガイドレール、２７…連結器具、３０…新かご、３１…かご枠、３２…かご床、３３…かご室、３６…下梁、３７ａ，３７ｂ…立柱、３８…新メインロープ、４１…ロープ、４３…新巻上機、５５…固定プレート。
【図１】
0005382443.tif 000002
【図２】
0005382443.tif 000003
【図３】
0005382443.tif 000004
【図４】
0005382443.tif 000005
【図５】
0005382443.tif 000006
【図６】
0005382443.tif 000007
【図７】
0005382443.tif 000008
【図８】
0005382443.tif 000009
【図９】
0005382443.tif 000010
【図１０】
0005382443.tif 000011
【図１１】
0005382443.tif 000012
【図１２】
0005382443.tif 000013
【図１３】
0005382443.tif 000014
【図１４】
0005382443.tif 000015
【図１５】
0005382443.tif 000016